(57)【要約】【課題】品物処理枚数と搬入した作業者名、搬入した時間帯、時間の関係を把握する。【解決手段】作業者を認識するためのデータが記憶されているＩＤタグ１１と、機器Ｍの前方に配置されたアンテナ１２、ケーブル１４を介して入力されたＩＤタグ１１のデータを変換するコントローラ１３と、機器Ｍの後方に配置されていて機器Ｍで処理された枚数を検出する光電管スイッチ１５と、ケーブル１６、１７を介して入力されたコントローラ１３の出力及び光電管スイッチ１５の出力を年月日時を基準としてデータ処理して、記憶するシーケンサ１８と、ケーブル１９を介して入力されたシーケンサ１８の出力を記憶して、作業者名、機器処理枚数、年月日時を要素として表を作成し、ディジタル表示、グラフ表示するコンピュータ２０からなるものである。【選択図】　図１
2004139495.tif 000002
【特許請求の範囲】
【請求項１】
作業者を認識するためのデータが記憶されているＩＤタグと、機器の前方に配置されたアンテナ、ケーブルを介して入力されたＩＤタグのデータを変換するコントローラと、前記機器の後方に配置されていて該機器で処理された枚数を検出する光電管スイッチと、ケーブルを介して入力されたコントローラの出力及び光電管スイッチの出力を年月日時を基準としてデータ処理して、記憶するシーケンサと、ケーブルを介して入力された前記シーケンサの出力を記憶して、作業者名、機器処理枚数、年月日時を要素として表を作成し、ディジタル表示、グラフ表示するコンピュータからなるクリーニング工場における作業者稼動時間・機器処理枚数把握装置
【発明の詳細な説明】
【０００１】
【発明が属する技術分野】
この発明は、クリーニング工場において、機器の処理枚数のみならず、作業者稼動時間をも把握するクリーニング工場における作業者稼動時間・機器処理枚数把握装置に関するものである。
【０００２】
【従来の技術】
クリーニング工場においては、機器の処理枚数を検出、表示している。例えば、図２に示すように、作業者によって品物が搬入され、内部で処理した後、品物を自動的に搬出する機器Ｍ（例えば、スチームロールアイロナ）の出口側に、光電管スイッチ１を設置して、品物の通過を検出し、光電管スイッチ１の出力信号をシーケンサ２でデータ処理し、シーケンサ２の出力信号を現場に設置された表示盤３に入力し、表示盤３において品物処理枚数をディジタル表示している。または、シーケンサ２に内蔵されている時計機構、記憶手段を利用して時点を基準として、光電管スイッチ１の出力を把握、記憶しておいて、時間当りの処理枚数をデータ処理し、その結果を表示盤に表示している。または、作業毎に押すスタートスイッチを有している機械では、該スタートスイッチを押してカウントを行い、日報に作業者の名前とカウント値を記入して記録したり、カウント数と完成品とを比較、確認したりしている。なお、図２において、４、５はケーブルである。
【０００３】
記載すべき先行技術文献情報はない。上記の従来技術は、多くのクリーニング工場において実施されているものであるからである。
【０００４】
【発明が解決しようとする課題】
この従来技術においては、機器Ｍから自動的に搬出される品物処理枚数を把握することができても、機器Ｍに手動で品物を搬入する各作業者の情報は表示されない。このため、品物処理枚数と搬入した作業者名、搬入した時間帯、時間の関係を把握することができず、個個の作業者の作業能力、作業勤務態度等を把握、評価することができないという課題がある。
【０００５】
この発明は、このような従来技術の課題を解決する目的でなされたものである。
【０００６】
【課題を解決するための手段】
上記課題を解決するための手段を、実施の一形態に対応する図１を用いて以下、説明する。この発明は、作業者を認識するためのデータが記憶されているＩＤタグ１１と、機器Ｍの前方に配置されたアンテナ１２、ケーブル１４を介して入力されたＩＤタグ１１のデータを変換するコントローラ１３と、機器Ｍの後方に配置されていて機器Ｍで処理された枚数を検出する光電管スイッチ１５と、ケーブル１６、１７を介して入力されたコントローラ１３の出力及び光電管スイッチ１５の出力を年月日時を基準としてデータ処理して、記憶するシーケンサ１８と、ケーブル１９を介して入力されたシーケンサ１８の出力を記憶して、作業者名、機器処理枚数、年月日時を要素として表を作成し、ディジタル表示、グラフ表示するコンピュータ２０からなるものである。
【０００７】
このように構成されたものにおいては、機器Ｍに手動で品物を搬入する各作業者の情報は表示される。
【０００８】
【発明の実施の形態】
図１は、この発明の実施の一形態を示す構成図である。図１において、１１はＩＤタグ、１２はアンテナ、１３はコントローラ、１５は光電管スイッチ、１８はシーケンサ、２０はコンピュータである。
【０００９】
ＩＤタグ１１は、作業者を認識するためのデータ、例えば社員番号等が記入されていて、データを発信する。ＩＤタグ１１は、作業者によって携帯されている。
【００１０】
アンテナ１２は、機器Ｍの前方入口に配置されていて、ＩＤタグ１１がその動作領域内に入ると、ＩＤタグ１１のデータを受信する。作業者がアンテナ１２の動作領域内にいる間中、アンテナ１２は受信を継続する。
【００１１】
コントローラ１３は、ケーブル１４を介してアンテナ１２に接続されて、入力されたアンテナ１２の出力であるＩＤタグ１１のデータをディジタル信号に変換する。
【００１２】
光電管スイッチ１５は、機器Ｍの後方出口に配置されていて、機器Ｍで処理された枚数を検出する。
【００１３】
シーケンサ１８は、ケーブル１６及び１７を介して入力されたコントローラ１３の出力及び光電管スイッチ１５の出力を年月日時を基準としてデータ処理して、記憶する。例えば、何年何月何日何時から何時まで作業者が機器Ｍ前にいて、機器Ｍで何枚、処理されたかをデータ処理して、記憶する。
【００１４】
コンピュータ２０は、ケーブル１９を介して入力されたシーケンサ１８の出力を記憶し、データ処理して、作業者名、機器処理枚数、年月日時を要素として表を作成し、ディジタル表示、グラフ表示する。例えば、縦軸に作業者名、横軸に時間帯を取り、その交差する箇所に処理枚数を入れて、何年何月何日の一日の状況を表に作成し、ディジタルまたはグラフで表示する。１日単位ではなく、週間単位、月単位で表わしても、良い。
【００１５】
表を作成し、ディジタルまたはグラフで表示することによって、機器Ｍに手動で品物を搬入する各作業者の情報は表示され、かつ把握される。
【００１６】
なお、コンピュータ２０内のデータ処理は、プログラムの設定によって行うが、データ収集ソフトを利用してシーケンサ１８内のデータをコンピュータ２０内の表計算ソフトに取り込んで行っても良い。
【００１７】
【発明の効果】
以上説明してきたように、この発明は、作業者を認識するためのデータが記憶されているＩＤタグと、機器の前方に配置されたアンテナ、ケーブルを介して入力されたＩＤタグのデータを変換するコントローラと、前記機器の後方に配置されていて該機器で処理された枚数を検出する光電管スイッチと、ケーブルを介して入力されたコントローラの出力及び光電管スイッチの出力を年月日時を基準としてデータ処理して、記憶するシーケンサと、ケーブルを介して入力された前記シーケンサの出力を記憶して、作業者名、機器処理枚数、年月日時を要素として表を作成し、ディジタル表示、グラフ表示するコンピュータからなるものである。それゆえ、品物処理枚数と搬入した作業者名、搬入した時間帯、時間の関係を把握することができる。したがって、この発明によれば、個個の作業者の作業能力、作業勤務態度等を把握、評価することができるという効果が得られる。
【図面の簡単な説明】
【図１】この発明の実施の一形態を示す構成図である。
【図２】従来技術を示す構成図である。
【符号の説明】
１１　ＩＤタグ
１２　アンテナ
１３　コントローラ
１５　光電管スイッチ
１８　シーケンサ
２０　コンピュータ
【図１】
2004139495.tif 000003
【図２】
2004139495.tif 000004